(57)【要約】      （修正有）【課題】高い演色性を備えるＬＥＤランプを提供する。【解決手段】高い演色性を備えるＬＥＤランプは、白色光を発する複数の発光ダイオード５、６中に、赤色光を発する２個の発光ダイオード４を組み合わせて設置する。これにより、各発光ダイオード４、５、６が同時に発光すると、光が混合する光学作用を生じ、さらに光透過性が低いランプシェード８を組み合わせるため、光線は屈折と回折の効果を生じる。従って、最後に投射される光線は、高輝度で演色性の高い暖白色となり、長時間の使用でも目が疲れにくいため、各種の照明環境に適している。【選択図】図１
0003164259.tif 000002
【実用新案登録請求の範囲】
【請求項１】
ランプ台、基板、第一発光ユニット、第二発光ユニット、第三発光ユニット、ランプシェードを備え、
前記ランプ台は、設置面を備え、
前記基板は、前記設置面上に固定し、前記基板の頂点面は、出光面で、
前記第一発光ユニットは、前記基板上に設置し、前記第一発光ユニットは、少なくとも２個の白色光発光ダイオードを備え、
前記第二発光ユニットは、前記基板上に設置し、前記第二発光ユニットは、２個の赤色光発光ダイオードにより組成し、しかも並列方式で配置し、
前記第三発光ユニットは、前記基板上に設置し、前記第三発光ユニットは、少なくとも３個の白色光発光ダイオードを備え、
前記ランプシェードは、前記ランプ台上を覆い、前記ランプシェードは光透過性が低く、前記第二発光ユニットは、前記第一発光ユニットと前記第三発光ユニットの間に位置することを特徴とする高い演色性を備えるLEDランプ。
【請求項２】
前記第三発光ユニットの３個の白色光発光ダイオードは、Ｖ字状を呈して配置することを特徴とする請求項１に記載の高い演色性を備えるLEDランプ。
【考案の詳細な説明】
【技術分野】
【０００１】
本考案はLEDランプに関し、特に高い演色性と高い発光輝度を備えるLEDランプに関する。
【背景技術】
【０００２】
環境保護の意識が台頭する今日、節電機能、高性能、高輝度、寿命の長さなどの多種の長所を備えるLED(発光ダイオード)は、オプトエレクトロニクス産業及び照明産業において、光源として幅広く使用されている。さらに、日常生活においても、従来の白熱灯は徐々にLEDランプに取って代わられている。
【０００３】
LEDランプを照明設備として使用する際には、一定の光の照度と強度が要求される他、重要な要素として、演色性評価数(Color Rendering Index、CRI Ra)がある。色彩再現は、通常は、演色性評価数(Color Rendering Index、CRI Ra)を用いて評価する。演色性が高い光源は、色の表現に優れ、人が目にする色も自然色に近い。演色性が低い光源は、色の表現が劣り、人が目にする色は自然色とかけ離れている。その光源が放射する光に含まれる各色光の比率が自然光に近ければ、人が目にする色もよりリアルとなる。
【０００４】
従来の技術において、LEDランプの発光効率は白熱灯に劣らないが、LEDランプは演色性が比較的低く、そのため照明を受けた物体はオリジナルの色調を表現することができない。周知のように、日光の演色性評価数は１００に近いが、白熱灯の演色性評価数も、日光に近く、９５である。これに対して、LEDランプの演色性評価数はわずかに７５−８０であり、すなわちその色彩表現は低い。現在の白色光LEDは、青色チップ外に蛍光層を塗布し形成するが、その色の三原色の比率が不均一であるため、光線の演色性に悪影響を及ぼしている。本考案は、従来のLEDランプの上記した欠点に鑑みてなされたものである。
【考案の概要】
【考案が解決しようとする課題】
【０００５】
本考案が解決しようとする課題は、高い演色性を備えるLEDランプを提供することである。
【課題を解決するための手段】
【０００６】
上記課題を解決するため、本考案は下記の高い演色性を備えるLEDランプを提供する。
高い演色性を備えるLEDランプは、ランプ台、基板、第一発光ユニット、第二発光ユニット、第三発光ユニット、ランプシェードを備え、
該ランプ台は、設置面を備え、
該基板は、該設置面上に固定し、該基板の頂点面は、出光面で、
該第一発光ユニットは、該基板上に設置し、該第一発光ユニットは、少なくとも２個の白色光発光ダイオードを備え、
該第二発光ユニットは、該基板上に設置し、該第二発光ユニットは、２個の赤色光発光ダイオードにより組成し、しかも並列方式で配置し、
該第三発光ユニットは、該基板上に設置し、該第三発光ユニットは、少なくとも３個の白色光発光ダイオードを備え、
該ランプシェードは、該ランプ台上を覆い、該ランプシェードは光透過性が低く、
該第二発光ユニットは、該第一発光ユニットと該第三発光ユニットの間に位置し、
該第一発光ユニット、該第二発光ユニット、該第三発光ユニットが発光すると、光混合、光線屈折及び回折の光学作用を生じ、高輝度で演色性の高い暖白色となり、色彩の再現度を高めることができるため、長時間の使用でも目が疲れにくく、各種の照明環境に適している。
【考案の効果】
【０００７】
本考案の高い演色性を備えるLEDランプの光線は、高い演色性を備える暖白色で、色彩の再現度と輝度が高く、人の目にとって快適であるため、疲労感が少なく、長時間の照明環境中での使用に非常に適している。
【図面の簡単な説明】
【０００８】
【図１】本考案の高い演色性を備えるLEDランプの分解表示図である。
【図２】本考案の高い演色性を備えるLEDランプの組合せ表示図である。
【考案を実施するための形態】
【０００９】
以下に図面を参照しながら本考案を実施するための最良の形態について詳細に説明する。
【実施例】
【００１０】
本考案の高い演色性を備えるLEDランプの分解表示図である図１、本考案高い演色性を備えるLEDランプの組合せ表示図である図２に示すように、本考案高い演色性を備えるLEDランプは、少なくともランプ台１、基板３、第一発光ユニット、第二発光ユニット、第三発光ユニット、ランプシェード８を備える。ランプ台１内には、電線、部品、或いは他の電子装置などを設置することができる。ランプ台１は、設置面１１を備える。基板３は、設置面１１上に固定する。基板３の頂点面は、出光面である。
【００１１】
出光面には、少なくとも第一発光ユニット、第二発光ユニット、第三発光ユニットを設置する。第二発光ユニットは、第一発光ユニットと第三発光ユニットの間に位置し、第二発光ユニットは、２個の赤色光発光ダイオード４が並列方式で配置する。
【００１２】
第一発光ユニットは、少なくとも２個の白色光発光ダイオード５を備え、第三発光ユニットは、少なくとも３個の白色光発光ダイオード６を備える。３個の白色光発光ダイオード６は、Ｖ字状を呈して配置する。ランプシェード８は、ランプ台１上を覆い、ランプシェード８は光透過性が低い。
【００１３】
上記した構造において、第一発光ユニット、第二発光ユニット、第三発光ユニットが同時に発光すると、第一発光ユニット、第二発光ユニット、第三発光ユニットの排列、分布を通して、白色と赤色の光線は相互に混合する。これにより、白色光発光ダイオード５、６は黄色光を含むようになり、演色性が比較的低いという現象は消去される。さらに、ランプシェード８は光透過性が低いため、２個の赤色光発光ダイオード４と５個の白色光発光ダイオード５、６が発する光線は、屈折と回折の効果を生じる。こうして最後に、ランプシェード８を経て投射された光線は、高い演色性を備える暖白色となり、色彩の再現度と輝度を高め、人の目にとって快適であるため、疲労感が少なく、長時間の照明環境中での使用に非常に適している。
【００１４】
上記の本考案の名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００１５】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００１６】
１  ランプ台
１１  設置面
３  基板
４  赤色光発光ダイオード
５、６  白色光発光ダイオード
８  ランプシェード
【図１】
0003164259.tif 000003
【図２】
0003164259.tif 000004